(57)【要約】【課題】  上記の問題点を解決するために、本発明の実施例は全熱交換換気装置内で吸入力を向上させることができる内部構造を有する全熱交換換気装置を提供することを目的とする。【解決手段】  室内吸気口、室内排気口、屋外吸気口及び屋外排気口が形成された本体ハウジングと、上記本体ハウジングの内部において、上記室内吸気口と屋外排気口との間に形成された第１流路に配置される第１送風ファンと、上記本体ハウジングの内部において、上記屋外吸気口と室内排気口との間に形成された第２流路に配置される第２送風ファンと、第１領域及び上記第１領域と異なる第２領域を含み、上記第１領域に上記第１流路が通過し、上記第２領域に上記第２流路が通過する回転式全熱交換素子と、開放された一側部が上記第１送風ファンの吸入部に連結され、開放された他側部が上記回転式全熱交換素子の上記第１流路が通過する上記第１領域に連結され、上記第１流路の空気の流れ方向に沿って断面積が狭くなる第１カバーリングと、開放された一側部が上記第１カバーリングの他側部の断面積に対応する断面積を有し、上記回転式全熱交換素子の上記第１流路が通過する上記第１領域に連結され、開放された他側部が上記室内吸気口に連結され、上記第１流路の空気の流れ方向に沿って断面積が広くなるフィルターボックスとを含む全熱交換換気装置を提供する。【選択図】図１
2013504744.tif 000002
【特許請求の範囲】
【請求項１】
室内吸気口、室内排気口、屋外吸気口及び屋外排気口が形成された本体ハウジングと、
前記本体ハウジングの内部において、前記室内吸気口と屋外排気口との間に形成された第１流路に配置される第１送風ファンと、
前記本体ハウジングの内部において、前記屋外吸気口と室内排気口との間に形成された第２流路に配置される第２送風ファンと、
第１領域及び前記第１領域と異なる第２領域を含み、前記第１領域に前記第１流路が通過し、前記第２領域に前記第２流路が通過する回転式全熱交換素子と、
開放された一側部が前記第１送風ファンの吸入部に連結され、開放された他側部が前記回転式全熱交換素子の前記第１流路が通過する前記第１領域に連結され、前記第１流路の空気の流れ方向に沿って断面積が狭くなる第１カバーリングと、
開放された一側部が前記第１カバーリングの他側部の断面積に対応する断面積を有し、前記回転式全熱交換素子の前記第１流路が通過する前記第１領域に連結され、開放された他側部が前記室内吸気口に連結され、前記第１流路の空気の流れ方向に沿って断面積が広くなるフィルターボックスと、を含み、
前記回転式全熱交換素子は前記第１カバーリングとフィルターボックスとの間に配置され、
前記第１流路は室内から屋外へと前記室内吸気口、前記フィルターボックス、前記回転式全熱交換素子、前記第１カバーリング、前記第１送風ファン及び前記屋外排気口を順に通過する経路を有する、全熱交換換気装置。
【請求項２】
前記フィルターボックスの他側部に装着されるプレフィルター（ｐｒｅ−ｆｉｌｔｅｒ）をさらに含むことを特徴とする請求項１に記載の全熱交換換気装置。
【請求項３】
前記回転式全熱交換素子は、円板状であることを特徴とする請求項２に記載の全熱交換換気装置。
【請求項４】
前記回転式全熱交換素子に接触される前記第１カバーリングの他側部の断面は、半円状であることを特徴とする請求項３に記載の全熱交換換気装置。
【請求項５】
前記室内吸気口は前記本体ハウジングの一側面に向かうように形成され、前記室内排気口は前記一側面と反対する他側面に向かうように形成されたことを特徴とする請求項１に記載の全熱交換換気装置。
【請求項６】
前記第２送風ファンの排気部と前記回転式全熱交換素子との間に配置され、前記第２流路に流れる空気の漏洩を防止する第２カバーリングをさらに含み、
前記第２流路は屋外から室内へと、前記屋外吸気口、前記第２送風ファン、前記第２カバーリング、前記回転式全熱交換素子及び前記室内排気口を順に通過する経路を有することを特徴とする請求項１に記載の全熱交換換気装置。
【請求項７】
前記第２カバーリング内に配置される少なくとも１つの浄化フィルターをさらに含むことを特徴とする請求項６に記載の全熱交換換気装置。
【請求項８】
前記回転式全熱交換素子の外周領域を包むように形成される遮蔽部をさらに含むことを特徴とする請求項１に記載の全熱交換換気装置。
【請求項９】
前記屋外吸気口に連結された第１部分と第２部分を有する給気ダクトと、前記屋外排気口に連結された第１部分と第２部分を有する排気ダクトを含み、前記給気ダクトの第１部分と前記排気ダクトの第１部分が結合して結合部を形成し、前記給気ダクトの第２部分と前記排気ダクトの第２部分が前記結合部から分枝して分枝部を形成する給排気ダクトを含む請求項１に記載の全熱交換換気装置。
【請求項１０】
前記結合部は、円筒状であることを特徴とする請求項９に記載の全熱交換換気装置。
【請求項１１】
前記結合部は、前記給気ダクトの第１部分と前記排気ダクトの第１部分が太極模様の断面を成しながら結合されたことを特徴とする請求項９に記載の全熱交換換気装置。
【請求項１２】
前記分枝部は、前記給気ダクトの第２部分と前記排気ダクトの第２部分が異なる方向に向かうように形成されたことを特徴とする請求項９に記載の全熱交換換気装置。
【請求項１３】
前記分枝部を覆う蓋部をさらに含み、
前記蓋部の前記給気ダクトの第２部分及び前記排気ダクトの第２部分に対応する部分は空気の流出入が可能な網状であることを特徴とする請求項９に記載の全熱交換換気装置。
【請求項１４】
前記給気ダクト及び前記排気ダクトは、それぞれＰＶＣからなることを特徴とする請求項９に記載の全熱交換換気装置。
【請求項１５】
前記給気ダクトの第１部分と前記排気ダクトの第２部分は互いに接着剤により接着されたことを特徴とする請求項９に記載の全熱交換換気装置。
【請求項１６】
前記給気ダクトの第１部分の端と前記屋外吸気部を連結する供給する給気部及び前記排気ダクトの第１部分の端と前記屋外排気部を連結する排気部を含むアダプタ部をさらに含むことを特徴とする請求項９に記載の全熱交換換気装置。
【発明の詳細な説明】
【技術分野】
【０００１】
本発明は全熱交換換気装置に関し、より詳細には給排気時に損失される空気の流れを防止し、給排気の効率を高める全熱交換換気装置に関する。
【背景技術】
【０００２】
全熱交換換気装置は、建物空調システムの一部構成要素として用いられるもので、建物を換気するために室内空気は屋外に排出し、屋外空気は室内に吸入し、この過程で室内外の空気を互いに熱交換させることで、熱損失を低減させることができる装置である。
【０００３】
一般的に、全熱交換換気装置の内部には全熱交換素子と、室内外の空気を吸い込む給排気用送風ファンとが装着され、上記全熱交換素子を通過する室内空気と屋外空気が交わらずに熱交換できるようにする。また、上記全熱交換換気装置には屋外側と室内側にそれぞれ吸気口及び排気口が形成され、屋外空気が室内に流入されるようにするとともに、室内空気が屋外に排出されるようにする。
【０００４】
従来技術による全熱交換換気装置内には、室内に吸入される屋外空気が通過する流路と屋外に吐出される室内空気が通過する流路とが交差するように形成され、上記交差する地点に熱交換のための積層形態の固定型熱交換素子が含まれている。
【０００５】
該全熱交換換気装置は、空気の吸入及び排出力により装置の性能が左右されるため、内部の空気の吸入及び排出力を高めるための研究が行われている。
【０００６】
また、該全熱交換換気装置のような装置では、屋外空気が流入され、また屋外に排出される装置で空気を給気及び排気する場合、給気ダクトと排気ダクトを別途に設けることが一般的である。よって、給気ダクトと排気ダクトを設置するためには、壁にダクト通路を別途に提供しなければならない。
【発明の概要】
【発明が解決しようとする課題】
【０００７】
上記の問題点を解決するために、本発明の実施例は全熱交換換気装置内で吸入力を向上させることができる内部構造を有する全熱交換換気装置を提供することを目的とする。
【０００８】
また、本発明の実施例は、給気ダクトと排気ダクトが一体に形成された給排気ダクトを備えた全熱交換換気装置を提供することを目的とする。
【課題を解決するための手段】
【０００９】
本発明の一側面によると、室内吸気口、室内排気口、屋外吸気口及び屋外排気口が形成された本体ハウジングと、上記本体ハウジングの内部において、上記室内吸気口と屋外排気口との間に形成された第１流路に配置される第１送風ファンと、上記本体ハウジングの内部において、上記屋外吸気口と室内排気口との間に形成された第２流路に配置される第２送風ファンと、第１領域及び上記第１領域と異なる第２領域を含み、上記第１領域に上記第１流路が通過し、上記第２領域に上記第２流路が通過する回転式全熱交換素子と、開放された一側部が上記第１送風ファンの吸入部に連結され、開放された他側部が上記回転式全熱交換素子の上記第１流路が通過する上記第１領域に連結され、上記第１流路の空気の流れ方向に沿って断面積が狭くなる第１カバーリングと、開放された一側部が上記第１カバーリングの他側部の断面積に対応する断面積を有し、上記回転式全熱交換素子の上記第１流路が通過する上記第１領域に連結され、開放された他側部が上記室内吸気口に連結され、上記第１流路の空気の流れ方向に沿って断面積が広くなるフィルターボックスとを含み、上記回転式全熱交換素子は上記第１カバーリングとフィルターボックスとの間に配置され、上記第１流路は室内から屋外へと上記室内吸気口、上記フィルターボックス、上記回転式全熱交換素子、上記第１カバーリング、上記第１送風ファン及び上記屋外排気口を順に通過する経路を有する、全熱交換換気装置を提供する。
【発明の効果】
【００１０】
本発明によると、全熱交換換気装置の内部構造を変更することで、吸入／排出力を向上させることができる。
【００１１】
本発明の他の実施例によると、全熱交換換気装置などを設置するにおいて、壁面の打抜き回数を減らすことができるという長所がある。
【図面の簡単な説明】
【００１２】
【図１】本発明の一実施形態による全熱交換換気装置の分解斜視図である。
【図２】（ａ）から（ｃ）は、本発明の他の実施形態による全熱交換換気装置に用いられる第１カバーリング、フィルターボックス及び第２カバーリングを示す図面である。
【図３】本発明の他の実施形態による全熱交換換気装置の分解斜視図である。
【図４】本発明の一実施例による給排気ダクトの斜視図である。
【図５】（ａ）および（ｂ）は本発明の一実施例によるアダプタ部を示す図である。
【図６】（ａ）は本発明の一実施例により給排気ダクトが結合されたアダプタ部を概略的に示しており、（ｂ）は図６の（ａ）に示されたアダプタ部の内部構造の一例を概略的に示している。
【発明を実施するための形態】
【００１３】
以下では、添付の図面を参照して本発明を詳しく説明する。
【００１４】
図１は、本発明の一実施形態による全熱交換換気装置の構成図である。
【００１５】
図１を参照すると、本実施形態による全熱交換換気装置１００は、本体ハウジング１１０、第１送風ファン及び第２送風ファン１２１、１２２、回転式全熱交換素子１３０、第１カバーリング１４０、フィルターボックス１５０及びプレフィルター１５３を含んでよい。
【００１６】
上記本体ハウジング１１０には室内吸気口、室内排気口、屋外吸気口及び屋外排気口が形成されてよい。上記全熱交換換気装置は上記本体ハウジングに形成された室内吸気口を通じて室内空気を吸入し、上記屋外排気口を通じて屋外に排出することができる。また、上記屋外吸気口を通じて屋外空気を吸入し、上記室内排気口を通じて室内に排出することができる。
【００１７】
本実施形態における上記本体ハウジング１１０は、上部本体ハウジング１１０ａ及び下部本体ハウジング１１０ｂに分けられてよい。上記上部本体ハウジング１１０ａは室内側に配置され、上記下部本体ハウジング１１０ｂは屋外側に配置されてよい。上記室内吸気口及び室内排気口は上記上部本体ハウジング１１０ａ側に形成され、上記屋外吸気口及び室内排気口は上記下部本体ハウジング１１０ｂ側に形成されてよい。
【００１８】
本実施形態において、室内吸気口１１１は上記本体ハウジングの一側面に向かうように形成され、室内排気口１１２は上記本体ハウジングの他側面に向かうように形成されてよい。上記本体ハウジングの一側面と他側面は互いに反対方向であってよい。このように室内吸気口１１１と室内排気口１１２を反対方向に形成すると、室内排気口１１２を通じて流入された新鮮な屋外空気が直ちに室内吸気口１１１を通じて抜け出ることを防止することができる。
【００１９】
上記本体ハウジング１１０の内部には、上記室内吸気口１１１と屋外排気口１１４との間に空気が流れる第１流路と、上記屋外吸気口１１３と室内排気口１１２との間に空気が流れる第２流路とが形成されてよい。
【００２０】
上記第１送風ファン１２１及び第２送風ファン１２２は、それぞれ上記室内吸気口と屋外排気口との間に形成された第１流路と、上記屋外吸気口と室内排気口との間に形成された第２流路に配置されてよい。本実施形態において、上記第１送風ファン１２１は、上記室内吸気口１１１及び第１流路を通じて室内空気を吸入し、上記屋外排気口１１４に排出することができる。上記第２送風ファン１２２は、上記屋外吸気口１１３を通じて外部の空気を吸入し、上記第２流路及び上記室内排気口１１２に排出することができる。
【００２１】
上記回転式全熱交換素子１３０は、第１領域及び上記第１領域と異なる第２領域を含み、上記第１流路は第１領域を、上記第２流路は第２領域を通過するように配置されてよい。本実施形態では、上記第１流路及び第２流路における空気の流れ方向と直角を成すように円板状の回転式全熱交換素子１３０を配置し、上記全熱交換素子の第１領域には上記室内吸気口１１１から吸入された室内空気が通過し、他の領域には上記屋外吸気口１１３から吸入された屋外空気が通過するようにすることができる。上記回転式全熱交換素子１３０は、回転運動により上記室内吸気口１１１を通じて吸入された室内空気に含まれた顕熱及び潜熱を保存し、保存した顕熱及び潜熱を上記屋外吸気口１１３を通じて吸入された屋外空気に伝達することができる。上記全熱交換素子１３０により屋外から吸入される空気に上記室内空気の顕熱及び潜熱が伝達されるため、上記室内排気口１１２を通じて排出される空気は屋外空気の顕熱及び潜熱より室内空気の顕熱及び潜熱に近い性質を有するようになる。
【００２２】
本実施形態において、上記全熱交換素子１３０は平らな円板状であってよい。上記吸入された屋外空気及び室内空気は、上記円板状の全熱交換素子の上面及び下面を通じて上記全熱交換素子を通過することができる。このとき、上記円板状の全熱交換素子を上記円板状の中心軸を基準に回転させると、上記全熱交換素子を通過する室内空気の顕熱及び潜熱が上記全熱交換素子を通過する屋外空気に伝達されることができる。上記全熱交換素子１３０は複数層で形成されてよい。上記複数の黄土成分、天然竹繊維または炭などを加えて上記全熱交換素子を通過する空気の滅菌及び消臭機能を高めることもできる。
【００２３】
上記第１カバーリング１４０は、上記第１送風ファン１２１に連結されて第１流路の一部を構成することができる。本実施形態において、上記第１カバーリング１４０は、一側部１４１が上記第１送風ファン１２１の吸入部に連結され、開放された他側部１４２が上記回転式全熱交換素子１３０の第１流路が通過する第１領域に連結される。上記第１カバーリング１４０は上記第１流路の空気の流れ方向に沿って断面積が狭くなってよい。即ち、上記第１カバーリングの他側部１４２の断面積が一側部１４１の断面積より広く形成されてよい。本実施形態のように、第１カバーリング１４０を空気の流れ方向に沿って断面積が次第に狭くなるように形成することで、上記第１流路に流れる室内空気の吸入性能を高めることができる。
【００２４】
上記フィルターボックス１５０は上記第１カバーリングに連結される第１流路の一部を構成することができる。本実施形態において、上記フィルターボックス１５０は、一側部１５１が上記第１カバーリングの他側部１４２に対向して回転式全熱交換素子１３０の第１流路が通過する第１領域に連結され、開放された他側部１５２が室内吸気口１１１に連結される。上記フィルターボックスの一側部１５１は上記第１カバーリングの他側部１４２の断面積に対応する断面積を有し、上記フィルターボックス１５０の一側部１５１は上記第１カバーリングの他側部１４２と接触して１つの流路を形成してよい。また、フィルターボックス１５０は第１流路の空気の流れ方向に沿って断面積が広くなる。
【００２５】
本実施形態では、上記フィルターボックスの一側部１５１と上記第１カバーリングの他側部１４２との間に回転型全熱交換素子１３０が配置されてよい。これにより、第１流路は室内から屋外へと室内吸気口１１１、フィルターボックス１４０、回転式全熱交換素子１３０、第１カバーリング１４０、第１送風ファン１２１及び屋外排気口１１２を順に通過する経路を有する。
【００２６】
一方、上記円板状の回転式全熱交換素子１３０に接触される上記第１カバーリングの他側部１４２の断面及び上記フィルターボックスの一側部１５１の断面は半円状であってよい。半円状の上記第１カバーリングの他側部１４２の断面及び上記フィルターボックスの一側部１５１の断面は、上記円板状の回転型全熱交換素子１３０の一部を覆うことができる。本実施形態のように、フィルターボックスの一側部及び第１カバーリングの他側部を上記回転型全熱交換素子の形態に合わせて形成することで、上記フィルターボックス及び第１カバーリングにより形成される第１流路に流れる室内空気の漏洩を減らすことができる。
【００２７】
上記プレフィルター（ｐｒｅ−ｆｉｌｔｅｒ）１５３は、上記フィルターボックスの開放された他側部１５２に装着されてよい。上記プレフィルター１５３は上記室内吸気口１１１を通じて吸入される室内空気を一次ろ過して上記室内空気に含まれた異物を除去することができる。上記プレフィルター１５３は室内空気に含まれた異物により上記全熱交換素子１３０が汚染されることを防止することができる。
【００２８】
本実施形態による全熱交換換気装置１００は、上記第２送風ファン１２２と上記回転式全熱交換素子１３０との間に配置される第２カバーリング１６０をさらに含んでよい。上記第２カバーリング１６０は、上記外部吸気口１１３及び内部排気口１１２との間に形成される第２流路での空気の漏洩を防止することができる。上記第２カバーリング１６０の開放された一側部１６１は上記第２送風ファン１２２の排気口に連結され、上記第２カバーリングの他側部１６２は上記回転式全熱交換素子１３０に接触されてよい。これにより、第２流路は屋外から室内へと、屋外吸気口１１３、第２送風ファン１２２、第２カバーリング１６０、回転式全熱交換素子１３０及び上記室内排気口１１２を順に通過する経路を有することができる。
【００２９】
一方、回転式全熱交換素子１３０に接触される第２カバーリングの他側部１６２の断面は半円状であってよい。半円状の上記第２カバーリング１６０の他側部１６２の断面は、上記円筒状の回転式全熱交換素子１３０の一部を覆って上記第２カバーリングにより形成される第２流路に流れる室内空気の漏洩を減らすことができる。
【００３０】
本実施形態による全熱交換換気装置１００は、上記第２カバーリング内に配置される少なくとも１つの浄化フィルター１７０をさらに含んでよい。上記浄化フィルター１７０は上記第２送風ファンにより屋外から吸入された空気をろ過する機能を行うことができる。上記少なくとも１つの浄化フィルター１７０は、銀ナノコーティング、堅炭の成分、竹の成分など公知のフィルター成分を含んでよい。
【００３１】
本実施形態による全熱交換換気装置１００は、上記回転式全熱交換素子の外周領域を包む遮蔽部１８０をさらに含んでよい。上記遮蔽部１８０は上記全熱交換素子１３０で全熱交換する際、屋外空気と室内空気が混ざって交差汚染されることを防止することができる。本実施形態における上記遮蔽部１８０は二重に形成されてよい。
【００３２】
図２の（ａ）から（ｃ）は、本発明の他の実施形態による全熱交換換気装置に用いられる第１カバーリング、フィルターボックス及び第２カバーリングを示す図面である。
【００３３】
図２の（ａ）を参照すると、第１カバーリング２４０はハウジングの室内吸入口と屋外排気口との間に形成され、室内空気を屋外に誘導する第１流路の一部を構成することができる。上記第１カバーリング２４０は一側部が第１送風ファン２２１の吸入部に連結され、他側部が開放された形態であってよい。上記第１カバーリング２４０は、上記第１流路の空気の流れ方向に沿って断面積が狭くなってよい。即ち、上記第１カバーリングの他側部の断面積が一側部の断面積より広く形成されてよい。本実施形態のように、第１カバーリング２４０を空気の流れ方向に沿って断面積が次第に狭くなるように形成することで、上記第１流路に流れる室内空気の吸入性能を高めることができる。
【００３４】
図２の（ｂ）を参照すると、上記フィルターボックス２５０は、上記第１カバーリングに連結される第１流路一部を構成することができる。本実施形態における上記フィルターボックス２５０は、一側部が上記第１カバーリングの他側部に対向し、他側部は開放された形態であってよい。上記フィルターボックス２５０の一側部は、上記第１カバーリングの他側部の断面積に対応する断面積を有してよい。
【００３５】
本実施形態では、上記フィルターボックス２５０の一側部と上記第１カバーリング２４０の他側部との間に回転型全熱交換素子が配置されてよい。この場合、上記第１カバーリング２４０の他側部及び上記フィルターボックス２５０の一側部は、上記回転型全熱交換素子の形態に対応する断面を有するように形成されてよい。本実施形態のように、フィルターボックスの一側部及び第１カバーリングの他側部を上記回転型全熱交換素子の形態に合わせて形成することで、上記フィルターボックス及び第１カバーリングにより形成される第１流路に流れる室内空気の漏洩を減らすことができる。
【００３６】
図２の（ｃ）を参照すると、上記第２カバーリング２６０は屋外空気を吸入して室内に伝達する第２流路の一部を構成することができる。上記第２カバーリング２６０の開放された一側部は上記屋外空気を吸入する第２送風ファン（不図示）の排気口に連結されてよい。上記第２カバーリングの他側部は回転式全熱交換素子（不図示）に接触されてよい。上記第２カバーリング２６０は、上記第２流路での空気の漏洩を防止することができる。
【００３７】
図３は本発明の他の実施例による全熱交換換気装置１００’の構成図である。図３を参照すると、本実施例による全熱交換換気装置１００’は、図１を参照して説明した全熱交換換気装置１００に給排気ダクト１０１をさらに含む。給排気ダクト１０１を除いた構成は、上述の実施例の構成と同一であるため、同一部分に対する詳細な説明は省略し、給排気ダクト１０１を図４を参照してさらに詳細に説明する。
【００３８】
図４は本発明の一実施例による給排気ダクト１０１の斜視図である。図４に示されたように、給排気ダクト１０１は給気ダクト１０２と排気ダクト１０３を含む。給気ダクト１０２は第１部分１０２ａと第２部分１０２ｂを備え、排気ダクト１０３も、これと類似して第１部分１０３ａと第２部分１０３ｂを備える。給気ダクト１０２の第１部分１０２ａと排気ダクト１０３の第２部分１０２ａは、互いに結合して結合部を形成し、給気ダクト１０２の第２部分１０２ｂと排気ダクト１０３の第２部分１０３ｂが結合部から分枝して分枝部を形成する。特に、分枝部は結合部から折れ曲がって分枝される。
【００３９】
給排気ダクト１０１が設置される場合、結合部は壁の貫通孔内に大部分が位置し、分枝部は屋外に位置する。貫通孔内に結合部が位置するため、給排気ダクトを設置するとき、結合部が位置する貫通孔１つのみを打抜きすればよい。そのため、給気ダクトと排気ダクトを別途に設置するときより打抜き数が減り、設置時間を短縮することができる。
【００４０】
一方、結合部は円筒状であってよく、この場合、給排気ダクトが設けられる壁の貫通孔と同じ形状を有することができるため、貫通孔のサイズを減らすことができる上、貫通孔と結合部間の空間を減らすことができる。
【００４１】
また、結合部は図４に示されたように、給気ダクト１０２の第１部分１０２ａと排気ダクト１０２の第１部分１０２ｂが太極模様の断面を成して結合されることができる。太極模様の断面を有すると、同一断面積当たりの空気の流れ抵抗（流体抵抗）を最小化することができるため、流量を上昇させることができる。しかし、本発明は太極模様に限定されず、給気ダクト１０２の第１部分１０２ａと排気ダクト１０３の第１部分１０２ａが多様な断面形状を成しながら結合されてよい。
【００４２】
また、分枝部は給気ダクト１０２の第２部分１０２ｂと排気ダクト１０３の第２部分１０３ｂが異なる方向に向かうように形成されてよい。給気ダクト１０２と排気ダクト１０３が屋外で異なる方向に向かって形成されると、給気ダクト１０２に流入される空気と排気ダクト１０３から排出される空気が分離され、混ざらないという長所がある。図１では給気ダクト１０２の第２部分１０２ｂと排気ダクト１０３の第２部分１０３ｂが互いに反対方向に向かうように示されているが、本発明はこれに限定されず、異なる方向に向かう構成であれば、本発明の範囲に含まれる。
【００４３】
一方、給気ダクト１０２及び排気ダクト１０３はＰＶＣからなってよく、ＰＶＣは成形性が良好で、給排気ダクト１０１をさらに容易に製作できるという長所がある。しかし、本発明はこれに限定されず、給気ダクト１０２及び排気ダクト１０３は、良好な耐久性を提供する銅のような金属からなってもよい。
【００４４】
また、給気ダクト１０２と排気ダクト１０３はそれぞれ別途に製作され、接着剤により接着されて結合部を形成してもよく、給排気ダクトが一体に製作されてもよい。
【００４５】
また、図３を参照すると、本発明の一実施例による全熱交換換気装置１００’はアダプタ部１０５をさらに含む。図５の（ａ）は本発明の一実施例により給排気ダクト１０１が結合されたアダプタ部１０５を概略的に示し、図５の（ｂ）はアダプタ部１０５の内部構造を概略的に示している。図示されているように、アダプタ部１０５は給気ダクト１０２の第１部分１０２ａの端に連結され、給気ダクト１０２からの空気が流入される給気部１０６と排気ダクト１０３の第１部分１０３ａの端に連結され、排気ダクト１０３から空気が排出される排気部１０７を含む。アダプタ部１０５は給排気ダクト１０１を他の装置に連結できるようにし、給排気ダクトの応用可能性を増大させることができる構成である。
【００４６】
給気部１０６は給排気ダクト１０１の給気ダクト１０２の第１部分１０２ａが結合される構成（図面でＡと示されている）を備え、給気ダクト１０２の第１部分１０２ａと共に、屋外空気が室内に位置する所定の装置に流入される流路を形成する。これと類似して、排気部１０７は給排気ダクト１０１の排気ダクト１０３の第１部分１０３ａが結合される構成（図面でＢと示されている）を備え、排気ダクト１０３の第１部分１０３ａとともに、室内の所定の装置から屋外へと空気が流出される流路を形成する。
【００４７】
図５の（ａ）及び（ｂ）は本発明の一実施例によるアダプタ部を備えた全熱交換換気装置を概略的に示したもので、本発明はこれに限定されず、給気ダクトと排気ダクトにそれぞれ連結され、空気を分離して流入または流出する全構成を含んでよい。
【００４８】
一方、図３には図示しなかったが、全熱交換換気装置１０１’は給排気ダクト１０１の分枝部を覆う蓋部をさらに含んでよい。蓋部は全熱交換換気装置１０１’が設けられる際、屋外に露出され得る給排気ダクト１０１の分枝部を覆う構成であり、外観を良好にする上、給排気ダクト１０１を保護する役割をする。
【００４９】
図６は本発明の一実施例による蓋部を概略的に示す斜視図である。図６に示されたように、蓋部１０４は給気ダクト１０２の第２部分１０２ｂ及び排気ダクト１０３の第２部分１０３ｂからなる分枝部を覆う。蓋部１０４の給気ダクト１０２の第２部分１０２ｂ及び排気ダクト１０３の第２部分１０３ｂに対応する部分は、空気の流出入が可能な網状であってよい。屋外に配置される分枝部を蓋部で覆うため、外観をさらに良好にすることができ、また、屋外空気に含まれた異物が給気ダクト１０２を通じて流入されることを防止することができる。
【００５０】
図６の拡大図には、蓋部１０４が給気ダクト１０２の第２部分１０２ｂに対応する網状のものだけを示しているが、蓋部１０４は、その反対側に排気ダクト１０３の第２部分１０３ｂに対応する網状を備えている。
【００５１】
本発明は上述した実施形態及び添付の図面により限定されるものではなく、添付の請求の範囲により限定される。従って、請求の範囲に記載された本発明の技術的思想から外れない範囲内で当技術分野の通常の知識を有する者により多様な形態の置換、変形及び変更が可能であり、これも本発明の範囲に属する。
【符号の説明】
【００５２】
１００、１００’  全熱交換換気装置
１０１  給排気ダクト
１０２  給気ダクト
１０３  排気ダクト
１０４  蓋部
１０５  アダプタ部
１１０  本体ハウジング
１２１、１２２  送風ファン
１３０  回転式全熱交換素子
１４０  第１カバーリング
１５０  フィルターボックス
１６０  第２カバーリング
１７０  浄化フィルター
１８０  遮蔽部
【図１】
2013504744.tif 000003
【図２】
2013504744.tif 000004
【図３】
2013504744.tif 000005
【図４】
2013504744.tif 000006
【図５】
2013504744.tif 000007
【図６】
2013504744.tif 000008
【国際調査報告】
2013504744.tif 000009
2013504744.tif 000010
2013504744.tif 000011
2013504744.tif 000012